(57)【特許請求の範囲】
【請求項１】
カラー画像を再生するための干渉縞データが記録されたホログラムであって、
前記カラー画像は、第１の色成分の像と、前記第１の色成分とは異なる第２の色成分の像と、前記第１の色成分および前記第２の色成分の両方と異なる第３の色成分の像と、を少なくとも含み、
前記第１の色成分の像は、情報を表示する隠し画像を含み、
前記第２の色成分の像は、前記第１の色成分の像および前記第２の色成分の像を少なくとも含む前記カラー画像において前記隠し画像の読み取りを困難にするノイズ画像を含み、
前記第３の色成分の像は、前記カラー画像において前記隠し画像の読み取りを困難にするノイズ画像を含み、
前記カラー画像を構成する前記第１の色成分の像を表示する光のピーク波長は、前記カラー画像を構成する前記第２の色成分の像を表示する光のピーク波長よりも短く、前記カラー画像を構成する前記第３の色成分の像を表示する光のピーク波長よりも長い
ことを特徴とするホログラム。
【請求項２】
カラー画像を再生するための干渉縞データが記録されたホログラムであって、
前記カラー画像は、第１の色成分の像と、前記第１の色成分とは異なる第２の色成分の像と、前記第１の色成分および前記第２の色成分の両方と異なる第３の色成分の像と、を少なくとも含み、
前記第１の色成分の像は、情報を表示する隠し画像を含み、
前記第２の色成分の像は、前記第１の色成分の像および前記第２の色成分の像を少なくとも含む前記カラー画像において前記隠し画像の読み取りを困難にするノイズ画像を含み、
前記第３の色成分の像は、前記カラー画像において前記隠し画像の読み取りを困難にするノイズ画像を含み、
前記カラー画像を構成する前記第１の色成分の像は、緑色で表示され、
前記カラー画像を構成する前記第２の色成分の像は、赤色で表示され、
前記カラー画像を構成する前記第３の色成分の像は、青色で表示される
ことを特徴とするホログラム。
【請求項３】
前記カラー画像を構成する前記第１の色成分の像は、緑色で表示され、
前記カラー画像を構成する前記第２の色成分の像は、赤色で表示され、
前記カラー画像を構成する前記第３の色成分の像は、青色で表示される
ことを特徴とする請求項１に記載のホログラム。
【請求項４】
第２の色成分の像に含まれる前記ノイズ画像は、前記第１の色成分の像と前記第２の色成分の像とを重ね合わせた際に、前記第１の色成分の像に含まれる前記隠し画像の前記情報が読み取り困難となるように構成され、
第３の色成分の像に含まれる前記ノイズ画像は、前記第１の色成分の像と前記第３の色成分の像とを重ね合わせた際に、前記第１の色成分の像に含まれる前記隠し画像の前記情報が読み取り困難となるように構成されている
ことを特徴とする請求項２〜３のいずれか一項に記載のホログラム。
【請求項５】
前記ノイズ画像は、ランダム階調パターンとして形成されている
ことを特徴とする請求項１〜４のいずれか一項に記載のホログラム。
【請求項６】
前記隠し画像の前記情報は、特定の波長帯域の光のみを透過させる部材を通して、読み取り可能である
ことを特徴とする請求項１〜５のいずれか一項に記載のホログラム。
【請求項７】
前記カラー画像は、立体的な画像である
ことを特徴とする請求項１〜６のいずれか一項に記載のホログラム。
【請求項８】
前記情報は、真贋判定情報である
ことを特徴とする請求項１〜７のいずれか一項に記載のホログラム。
【請求項９】
計算機合成ホログラムとして形成されている
ことを特徴とする請求項１〜８のいずれか一項に記載のホログラム。
【請求項１０】
請求項１〜９のいずれか一項に記載されたホログラムを貼り付けられている
ことを特徴とする物品。
【発明の詳細な説明】
【技術分野】
【０００１】
本発明は、カラー画像を再生するホログラムに係り、とりわけ、通常の観察条件では読み取り困難な情報を隠し画像として含んだホログラムに関する。また、本発明は、通常の観察条件では読み取り困難な情報を隠し画像として含んだホログラムを貼り付けられた物品に関する。
【背景技術】
【０００２】
従来、カード、パスポート、身分証明書、商品券等の偽造防止策として、ホログラム（ホログラムラベル）をこれらの物品に貼り付けることが行われてきた。また昨今においては、カラーで再生される複雑な立体像をホログラムに記録することも可能になってきており、ホログラムを用いることによって、ホログラムが貼り付けられた物品の意匠性を向上させることもできるようになっている。
【０００３】
偽造防止を目的としてホログラムが用いられる場合、ホログラムは、偽造されにくく、且つ、ホログラム自体の真贋判定が容易に行われ得るようにしなければならない。しかしながら残念なことに、近年、ホログラムの偽造技術は向上してきている。また、ホログラムを作製するための材料も入手しやすくなってきている。このような状況から、一見よく似た偽造ホログラムが流通され、この偽造ホログラムが見過ごされてしまう可能性もある。
【０００４】
このような不具合に対処するため、通常の観察状態で観察される画像（顕像）とは別に、真贋判定情報を表示する隠し画像（潜像）が特別な条件下で表示され得る表示体（記録媒体）に関する研究も行われている（例えば、特許文献１および特許文献２）。
【先行技術文献】
【特許文献】
【０００５】
【特許文献１】特開２００２−２５４５４６
【特許文献２】特開平５−２６２０８６
【発明の概要】
【発明が解決しようとする課題】
【０００６】
しかしながら、特許文献１に開示された表示体では、通常観察される画像（顕像）が記録されたホログラム層とは別途に、隠し画像が記録された潜像形成構造層が設けられている。したがって、単層のホログラムからなる表示体と比較して、表示体の厚みが非常に厚くなり、また、表示体の製造コストが著しく高価となる。
【０００７】
一方、特許文献２に開示された表示体は特殊なインキを用いて形成された印刷物として構成されている。この表示体には、通常の観察状態で観察され得る顕像と、特定の観察条件でのみ観察され得る隠し画像と、が印刷されている。そして、隠し画像を観察する際には、顕像は観察され得なくなる。また、特許文献２の表示体では、印刷された画像（顕像および潜像）が観察されるのであって、ホログラムのように立体的に画像を再生し得るわけではない。すなわち、特許文献２の表示体では、画像を浮かび上がらせて表示することができず、また、観察方向を変化させていったとしても観察される像の見え方は観察方向に応じて変化していかない。さらに、特許文献２の表示体では、顕像を印刷する領域と、潜像を印刷する領域と、を重複させることができず、これにより、顕像および潜像のデザインは制約される。すなわち、特許文献２の表示体で表示される像は、ホログラムで再生される像の意匠性よりも著しく低い意匠性しか持ち得ず、ホログラムで再生される像の意匠性と同列に比較される対象にはなり得ない。
【０００８】
本発明はこのような点を考慮してなされたものであって、カラー画像を再生するホログラムに係り、とりわけ、通常の観察条件で観察される画像とは別に、通常の観察条件では読み取り困難な情報を含む隠し画像も記録されたホログラムを提供する。
【課題を解決するための手段】
【０００９】
本発明によるホログラムは、カラー画像を再生するための干渉縞データが記録されたホログラムであって、前記カラー画像は、第１の色成分の像と、前記第１の色成分とは異なる第２の色成分の像と、を少なくとも含み、前記第１の色成分の像は、情報を表示する隠し画像を含み、前記第２の色成分の像は、前記第１の色成分の像および前記第２の色成分の像を少なくとも含む前記カラー画像において前記隠し画像の読み取りを困難にするノイズ画像を含む。
【００１０】
本発明によるホログラムにおいて、前記カラー画像は、前記第１の色成分および前記第２の色成分の両方と異なる第３の色成分の像をさらに含み、前記第３の色成分の像は、前記カラー画像において前記隠し画像の読み取りを困難にするノイズ画像を含むようにしてもよい。
【００１１】
また、本発明によるホログラムにおいて、前記カラー画像を構成する前記第１の色成分の像を表示する光のピーク波長は、前記カラー画像を構成する前記第２の色成分の像を表示する光のピーク波長よりも短く、前記カラー画像を構成する前記第３の色成分の像を表示する光のピーク波長よりも長くなっていてもよい。
【００１２】
さらに、本発明によるホログラムにおいて、前記カラー画像を構成する前記第１の色成分の像は、緑色で表示され、前記カラー画像を構成する前記第２の色成分の像は、赤色で表示され、前記カラー画像を構成する前記第３の色成分の像は、青色で表示されるようにしてもよい。
【００１３】
さらに、本発明によるホログラムにおいて、第２の色成分の像に含まれる前記ノイズ画像は、前記第１の色成分の像と前記第２の色成分の像とを重ね合わせた際に、前記第１の色成分の像に含まれる前記隠し画像の前記情報が読み取り困難となるように構成され、第３の色成分の像に含まれる前記ノイズ画像は、前記第１の色成分の像と前記第３の色成分の像とを重ね合わせた際に、前記第１の色成分の像に含まれる前記隠し画像の前記情報が読み取り困難となるように構成されていてもよい。
【００１４】
さらに、本発明によるホログラムにおいて、前記ノイズ画像は、ランダム階調パターンとして形成されていてもよい。
【００１５】
さらに、本発明によるホログラムにおいて、前記隠し画像の前記情報は、特定の波長帯域の光のみを透過させる部材を通して、読み取り可能であってもよい。
【００１６】
さらに、本発明によるホログラムにおいて、前記カラー画像は、立体的な画像であってもよい。
【００１７】
さらに、本発明によるホログラムにおいて、前記情報は真贋判定情報であってもよい。
【００１８】
さらに、本発明によるホログラムにおいて、前記カラー画像は何らかの意味を有する像を含み、前記カラー画像において、前記隠し画像および前記ノイズ画像が形成されている領域には、ランダム着色パターンで着色が施されているようにしてもよい。
【００１９】
さらに、本発明によるホログラムが、計算機合成ホログラムとして形成されていてもよい。
【００２０】
さらに、本発明による物品は、上述したいずれかの本発明によるホログラムを貼り付けられていることを特徴とする。
【図面の簡単な説明】
【００２１】
【図１】図１は、ホログラムによって再生されるカラー画像を示す正面図である。
【図２】図２は、図１のカラー画像を構成する第１の色成分の像を示す正面図である。
【図３】図３は、図１のカラー画像を構成する第２の色成分の像を示す正面図である。
【図４】図４は、図１のカラー画像を構成する第３の色成分の像を示す正面図である。
【図５】図５は、ホログラムを使用する際の状態を示す図である。なお、図５では、ホログラムへの照明光の進行方向およびホログラムの表面への法線方向との両方に平行な断面において、ホログラムが示されている。
【図６】図６は、ホログラムに記録される干渉縞データの演算方法を説明するためのフローチャートである。
【図７】図７は、隠し画像、ノイズ画像、隠し画像とノイズ画像との重ね合わせ画像を平面化して示す図である。
【図８】図８は、照明光の進行方向と、再生光の進行方向（照明光の回折方向）と、の関係を説明するための図である。なお、図８では、ホログラムへの照明光の進行方向およびホログラムの表面への法線方向との両方に平行な断面において、ホログラムが示されている。
【図９】図９は、ホログラムの記録面上に定義される単位領域と、原画像上に定義される単位領域と、の対応関係を説明するための図である。なお、図９では、ホログラムへの照明光の進行方向およびホログラムの表面への法線方向との両方に平行な断面において、ホログラムが示されている。
【図１０】図１０は、ホログラムの記録面上に定義される演算点と、原画像上に定義される点光源と、の対応関係を説明するための図である。なお、図１０では、ホログラムへの照明光の進行方向の直交する方向およびホログラムの表面への法線方向との両方に平行な断面において、ホログラムが示されている。
【図１１】図１１は、ホログラムのフィルム状の媒体を示す平面図である。
【図１２】図１２は、ホログラムの作用を説明するための図であって、図５と同様の断面においてホログラムを示す図である。
【図１３】図１３は、ホログラムの作用を説明するための図であって、図５と同様の断面においてホログラムを示す図である。
【図１４】図１４は、ホログラムの作用を説明するための図であって、図５と同様の断面においてホログラムを示す図である。
【図１５】図１５は、ホログラムの作用を説明するための図であって、図５と同様の断面においてホログラムを示す図である。
【図１６】図１６は、ホログラムの作用を説明するための図であって、図５と同様の断面においてホログラムを示す図である。
【図１７】図１７は、ホログラムの作用を説明するための図であって、図５と同様の断面においてホログラムを示す図である。
【図１８】図１８は、ホログラムの作用を説明するための図であって、図５と同様の断面においてホログラムを示す図である。
【発明を実施するための形態】
【００２２】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２３】
図１乃至図１８は本発明による一実施の形態を説明するための図である。このうち図１はホログラムによって再生されるカラー画像の一例を示す図であり、図２〜図４は図１のカラー画像の分解像を示す図である。また、図５は、ホログラムを使用する状況の一例を示す図である。図６〜図１１は、主に、ホログラムの作製方法の一例を説明するための図である。図１２〜図１８は、ホログラムの作用を説明するための図である。
【００２４】
なお、以下に説明する本実施の形態においては、本発明によるホログラムが計算機合成ホログラムとして作製された例を説明する。ただし、後述するように、本発明によるホログラムは、必ずしも計算機合成ホログラムである必要はなく、例えば体積型ホログラムとして通常ホログラム撮影方法により作製され得る。すなわち、本発明は、以下に例示する計算機合成ホログラムへの適用に拘束されることなく、他の種類のホログラムにも適用され得る。
【００２５】
本実施の形態によるホログラム２０は、カラー画像３０に関する干渉縞データが記録されたホログラム２０である。そして、図５に示すようにして、白色光、例えば照明器具１２からの照明光Ｌａがホログラムに照明されると、当該光Ｌａのホログラム２０への照明方向に応じて決定される特定の方向に向けて画像３０が再生光Ｌｂによってカラーで再生され、観察者２０は当該カラー画像３０を観察することができるようになる。
【００２６】
本実施の形態によるホログラム２０では、図１に示すように、ホログラム２０によって再生される画像３０は、球体３６と、球体３６の周囲を帯状に延びる二つのリング３８と、を含んでいる。球体３６のうちのリング３８によって隠される部分は、再生される像においてもリング３８によって隠されるようになっている。すなわち、ある視点から観察した場合に、手前の物体に隠される部分を見えないようにするといった隠面消去処理が施され、ホログラムは記録された像を立体的に再生するようになっている。なお、陰面消去処理についての詳細は、「３次元画像コンファレンス‘９９−３Ｄ  Ｉｍａｇｅ  Ｃｏｎｆｅｒｅｎｃｅ‘９９」講演論文集ＣＤ−ＲＯＭ（１９９９年６月３０日〜７月１日  工学院大学新宿校舎）、論文「ＥＢ描画によるイメージ型バイナリＣＧＨ（３）−隠面消去・陰影付けによる立体感の向上」を参照されたい。
【００２７】
球体３６の表面は多数の区域に区分けされている。そして、球体３６の表面をなす多数の区域はランダム着色パターンで着色が施されている。なお、ここでいう「ランダム着色パターンでの着色」とは、着色対象が不規則的または規則的に多数の区域に区分けされ、多数の区域のそれぞれを着色する色が、着色される各区域の位置に依存することなく、すなわち、着色される各区域の位置と関連することなく、不規則的に決定されていることを意味している。
【００２８】
一方、各リング３８は、「ＧＥＮＵＩＮＥ」の文字を連続して並べることによって形成された文字列によって、構成されている。各リング３８をなす文字列は、白色に着色されている。
【００２９】
このホログラム２０は、再生されるカラー画像３０の一部分をなすリングの「ＧＥＮＵＩＮＥ」といった文字列とも関連しているように、真正性を表示する表示体として機能する。すなわち、ホログラム２０は、後述する真贋判定情報によって自身の真正性を示すとともに、このホログラム２０が貼り付けられた物品１５（図５の二点鎖線）、例えば、紙幣、株券、カード、書類等の真正性を示すように、機能する。
【００３０】
ホログラム２０によって再生される画像３０は、カラーで表示され得ることから当然に、互いに異なる色で表示される複数の色成分の分解像３１，３２，３３を有するようになる。なお、上述したように本実施の形態において、ホログラム２０は、波長選択性をほとんど呈することのない計算機合成ホログラムのレリーフ型レインボウホログラムとして構成されている。したがって、各色成分の像３１，３２，３３に関する干渉縞データは、照明方向や観察方向によって、種々の色で表示されるようになる。ただし、任意の一つの観察方向から観察した場合に、これらの複数の色成分の像３１，３２，３３は、互いに同一の色で表示されることなく、互いに異なる色によって表示される。
【００３１】
本実施の形態においては、照明光の照明方向に応じた特定の方向に図１のカラー画像３０が再生される場合、当該画像３０は、三原色の色成分の像３１，３２，３３の加法混色によって構成される。すなわち、ホログラム２０によって再生されるカラー画像３０は、図２に示された緑色に表示された第１の色成分の像３１と、図３に示された赤色に表示された第２の色成分の像３２と、図４に示された青色に表示された第３の色成分の像３３と、を含むようになる。各色成分の像３１，３２，３３において、各色は、例えば０〜２５５までの２５６階調によって表現されている。この結果、ホログラム２０は画像３０をフルカラーで再生することができるようになっている。
【００３２】
緑色で表示されるとともにカラー画像３０を構成する第１の色成分の像３１は、例えば４９５ｎｍ〜５６５ｎｍ内にピーク波長を有する第１の波長帯域の光によって構成される。赤色で表示されるとともにカラー画像３０を構成する第２の色成分の像３２は、一例として６００ｎｍ〜７８０ｎｍ内にピーク波長を有する第２の波長帯域の光によって構成される。青色に表示されカラー画像３０を構成する第３の色成分の像３３は、例えば３８０ｎｍ〜４９０ｎｍ内にピーク波長を有する第３の波長帯域の光によって構成される。したがって、カラー画像３０を構成する第１の色成分の像をなす光のピーク波長は、カラー画像３０を構成する第２の色成分の像をなす光のピーク波長よりも短く、カラー画像３０を構成する第３の色成分の像をなす光のピーク波長よりも長くなっている。
【００３３】
なお、ホログラム２０が計算機合成ホログラムとして作製されている場合、各色成分の像３１，３２，３３をなす光の波長帯域はピーク波長を中心とした狭い範囲となる。とりわけ、高精度に作製された計算機合成ホログラムを高精度に測定する場合、各色成分の像３１，３２，３３をなす光は、理論的には、それぞれ特定波長の光（ピーク波長の光）のみよって構成されるようになる。
【００３４】
本実施の形態において、第１の色成分の像３１は、他の色成分の像３２，３３と重なりあって上述した球体３６および球体３６の周囲の二つのリング３８を表現する像を含んでいる。また、図２に示すように、第１の色成分の像３１は、色成分の階調を変化させることによって前記球体３６の表面に相当する位置に形成された画像３１ａを含んでいる。球体３６の表面に形成された画像３１aは、特定の情報を表示する画像３１aとして構成されている。具体的には、第１の色成分の像３１において、「本物」とい文字が、球体３６の表面に存在している。すなわち、第１の色成分の像３１は、ホログラムが「本物」であるといった真贋判定情報を表示する画像３１ａを含んでいる。
【００３５】
ただし、図に示すように、第１〜第３の色成分の像を重ね合わせることによって表示されたカラー画像３０において、球体３６の表面に形成された画像３１ａの真贋判定情報は、読み取り困難となっている、すなわち、真贋判定情報を表示する画像３１ａは、隠し画像３１ａとして形成されている。
【００３６】
一方、第２の色成分の像３２および第３の色成分の像３３のそれぞれも、同様に、他の色成分の像と重なりあって上述した球体３６および球体３６の周囲の二つのリング３８を表現する像を含んでいる。また、第２の色成分の像３２および第３の色成分の像３３は、それぞれ、上述した真贋判定情報を表示する画像が再生される領域を含む領域、すなわち、本実施の形態においては球体３６の表面に再生されるノイズ画像３２ａ，３３ａを含んでいる。
【００３７】
そして、第２の色成分の像３２に含まれるノイズ画像３２ａは、第１の色成分の像３１と第２の色成分の像３２とが重なり合って第１の色成分からなる隠し画像３１ａと同時に観察される際に、隠し画像３１ａの真贋判定情報の読み取りを困難とするように構成されている。本実施の形態において、第２の色成分のノイズ画像３２ａは、当該ノイズ画像が占める領域上、すなわち、本実施の形態では球体３６の表面上に第２の色成分のみで形成されたランダム階調パターンとして、構成されている。具体的には、球体３６の表面が多数の区域に区分けされ、球体３６の表面をなす多数の区域のそれぞれについての第２の色成分の階調が、当該区域の球体３６上における位置とは無関係に設定されている。
【００３８】
同様に、第３の色成分の像３３に含まれるノイズ画像３３ａは、第１の色成分の像３１と第３の色成分の像３３とが重なり合って第１の色成分からなる隠し画像３１ａと同時に観察される際に、隠し画像３１ａの真贋判定情報の読み取りを困難とするように構成されている。本実施の形態において、第３の色成分のノイズ画像３３ａは、球体３６の表面上における第３の色成分のみのランダム階調パターンとして形成されている。具体的には、球体３６の表面が多数の区域に区分けされ、球体３６の表面をなす多数の区域のそれぞれについての第３の色成分の階調が、当該区域の球体３６上における位置とは無関係に設定されている。
【００３９】
なお、以上のような第１の色成分の像３１の隠し画像３１ａと、第２の色成分の像３２のノイズ画像３２ａと、第３の色成分の像３３のノイズ画像３３ａと、の重ね合わせによって、ホログラム２０によって再生されるカラー画像３０において、ランダム着色パターンが球体３６の表面に形成されるようになる。
【００４０】
ところで、以上のカラー画像３０を再生するため、ホログラム２０は、そのフィルム状の媒体２２に記録された干渉縞データを、有している。ここで、干渉縞データとは、平行光からなる参照光と、再生されるべき原画像３０をなす物体からの物体光と、の干渉波の強度を、ホログラム２０のフィルム媒体２２上の各位置（後述する演算点）にて、演算することによって特定される干渉縞に関するデータのことである。計算機合成ホログラム２０は、典型的には、干渉縞データとしての凹凸形状をフィルム状の媒体２２に記録されることによって、作製されている。そして、計算機合成ホログラム２０においては、照明光がこの凹凸形状によって回折され、画像３０が再生されるようになる。なお、干渉縞データを記録するための記録用媒体２２は、例えば樹脂から構成される。
【００４１】
なお、図５に示すように、本実施の形態によるホログラム２０は、干渉縞データを記録されるフィルム状の媒体２２と、入射光を鏡面反射させる反射層２４と、から構成されている。観察者１０の側（媒体２２の側）からホログラムの入射した照明器具等からの光Ｌａは、媒体２２を透過した後に反射層２４で鏡面反射されて、媒体２２に入射する。媒体２２に再入射する光が照明光Ｌｃとして機能し、媒体２２で回折され、回折光Ｌｂを形成するようになる。
【００４２】
次に、以上のようなホログラム１０を作製する方法について説明する。
【００４３】
通常、計算機合成ホログラムの量産においては、凹凸形状を有したマスター版が最初に作製される。そして、このマスター版を原型として用いることによって、多数のホログラムが量産されていく。具体的には、まず、凹凸形状を形成されたマスター版の表面を、流動性を有した電離放射線硬化型樹脂（例えば、紫外線硬化型樹脂）によってコーティングする。次に、流動性を有した電離放射線硬化型樹脂がマスター版の凹凸形状内に入り込んだ状態で、電離放射線硬化型樹脂が硬化される。このようにして、起伏を反転させてマスター版の凹凸形状を転写させてなる凹凸形状が、媒体としての電離放射線硬化型樹脂に形成される。その後、硬化した電離放射線硬化型樹脂をマスター版から剥がすことにより、硬化した電離放射線硬化型樹脂からなるホログラムの媒体が得られる。この媒体の一方の面に、例えばアルミニウム蒸着膜からなる反射層を形成することにより、図５に示すホログラム２０が得られる。なお、このようなホログラムの作製方法に起因して、ホログラムに形成された凹凸形状が、エンボスパターンと呼ばれることもある。
【００４４】
ところで、上述したように、本実施の形態におけるホログラムは、計算機合成ホログラム（Computer-Generated Hologram（CGH）とも呼ばれる）として形成されている。したがって、実際に参照光および物体光を感光材料に照射して感光材料からなる媒体に撮影を行うことはなく、定義したモデルについて計算機で演算することにより、干渉縞データを算出している。そして、最初に形成されるマスター版の凹凸形状は、計算機によって算出された干渉縞データに基づいて、決定されている。この凹凸形状は、非常に微細であり、今日における多くの場合、電子線描画装置を用いて形成（記録）されている。なお、計算機で算出された干渉縞データに基づき、電子線描画によって凹凸形状を形成する方法の詳細は、例えば特開２００８−１９１５４０に開示されており、ここでは、これ以上の詳細な説明を省略する。
【００４５】
一方、計算機による干渉縞データの算出は、図６のフローチャートに示す方法にしたがって、行われる。ただし、図６に示す干渉縞データの算出方法は例示に過ぎず、以下に説明する方法とは異なる方法で干渉縞が算出されるようにしてもよい。なお、図６のフローチャートに沿った計算機合成ホログラムの作製における干渉縞データの概略的な演算方法は、公知の特許や非特許文献においても言及されている。したがって、ここでは、主に、本実施の形態のホログラム２０によって再生される画像の構成または作用効果に関連して特徴的といえる点について説明する。
【００４６】
干渉縞データの概略的な演算方法に言及した特許公報の一例として、特開２０００−２１４７５１が挙げられる。また、干渉縞データの概略的な演算方法に言及した非特許公報の一例として、「３次元画像コンファレンス‘９９−３Ｄ  Ｉｍａｇｅ  Ｃｏｎｆｅｒｅｎｃｅ‘９９」講演論文集ＣＤ−ＲＯＭ（１９９９年６月３０日〜７月１日  工学院大学新宿校舎）、論文「ＥＢ描画によるイメージ型バイナリＣＧＨ（３）−隠面消去・陰影付けによる立体感の向上」が挙げられる。
【００４７】
図６に示すように、最初に、ホログラム２０に記録すべき画像を特定する（工程Ｓ１）。理想的には、この工程で定義される原画像が、図１に示すホログラム２０によって再生される画像３０と一致する。
【００４８】
計算機合成ホログラムでは、一般的に、単色光からなる物体光と参照光との干渉波の強度を計算して、干渉縞データが算出されるようになる。以下の説明では、緑色で表示された図２の像３１を計算機内でモデル化して第１の原画像４１が定義され、赤色で表示された図３の像３２を計算機内でモデル化して第２の原画像４２が定義され、青色で表示された図４の像４２を計算機内でモデル化して第３の原画像４２が定義されることとする。そして以下の例では、ホログラム２０が照明光を照明されることによって、三原色で表示される三つの色成分の像３１，３２，３３が特定の方向に再生されるようになる。この際、観察者は、三原色で表示される三つの色成分の像３１，３２，３３の加法混色により、図１に示されたフルカラー画像３０を観察することができるようになる。
【００４９】
上述したように、図１に示されたカラー画像３０は、立体的に再生される球体３６およびリング３８を有している。同様に、図９に示すように、三原色の色成分の原画像４１，４２，４３も、立体的に再生される球体４６およびリング４８を有するように定義される。そして、三原色で表示される原画像４１，４２，４３の間で、球体４６の表面上における階調パターンは異なるものの、三つの原画像４１，４２，４３のそれぞれによって表現される立体像は同一となっている。したがって、この工程では、三つの原画像４１，４２，４３を定義する必要があるが、一つの立体像データ（３ＤＣＧモデル）を用意するとともに、当該立体像データに、各原画像４１，４２，４３に対応した三つの階調パターンをテクスチャマッピングしていくことによって、三つの原画像４１，４２，４３を定義することが可能となる。
【００５０】
すなわち、原画像を特定する際に、再生されるべき第１の色成分の隠し画像３１ａ、第２の色成分のノイズ画像３２ａ、および、第３の色成分のノイズ画像３３ａを、立体面上における階調パターンとして設計していく必要はない。図７に示すように、第１の色成分の隠し画像３１ａ、第２の色成分のノイズ画像３２ａ、第３の色成分のノイズ画像３３ａ、および、さらにはこれらの画像３１ａ，３２ａ，３３ａを重ね合わせてなるカラー画像を単なる平面上における着色パターンとして設計すればよい。その後、テクスチャマッピング技術を用いることにより、立体像上における着色パターンへと変換して、実際に、ホログラムに記録されるべき立体原画像４１，４２，４３を定義することができる。このような方法によれば、特定の情報を表示し得る隠し画像３１ａ、並びに、隠し画像３１ａを不可視化させるノイズ画像３２ａ，３３ａのモデル化を極めて容易に行うことができるようになる。
【００５１】
次に、図６に示すように、カラー画像３０の再生に関する空間配置を特定する（工程Ｓ２）。具体的には、再生されるべき画像３０の位置、画像３０を再生するためにホログラム２０に照明される照明光の照明方向、および、画像３０を再生する再生方向が、ホログラム２０を構成するフィルム状の記録用媒体２２を基準として、特定される。なお、画像３０を再生する再生方向は、言い換えると画像を再生する再生光の進行方向であり、また、定義された照明方向でホログラム２０を照明する照明光がホログラム２０によって回折される方向に相当し、さらには、再生画像が観察されるようになる観察方向にも相当する。また、ここで定義された照明光の照明方向に応じて、後述する参照光の進行方向が決定され、ここで定義された再生方向に関連して、後述する物体光の進行方向が決定される。
【００５２】
画像３０が再生されるようになる位置は、媒体２２の記録面に対して、適宜設定され得る。ただし、画像３０を立体的に再生する上では、大きな視差を確保することが有効である。そして、大きな視差を確保する観点、すなわち、観察方向を変化させた際における観察され得る像の変化を大きくする観点からは、媒体２２の記録面の近傍に画像が再生されるようにすることが有効である。
【００５３】
また、照明方向および観察方向については、ホログラム２０の用途を考慮し、蓋然性の高い方向を選択すればよい。例えば、本実施の形態のように、ホログラム２０が真正性表示体として用いられる場合、とりわけ、ホログラム２０が、比較的小さな物品（一例として、クレジットカード等）１５に貼り付けられる真正性表示体として用いられる場合には、図５に示すように、観察方向はホログラム２０の表面への法線方向と略平行になることが多いと予想される。この際、照明光として、ホログラム２０の表面への法線方向に対して概ね４５°傾斜した方向から、白色光からなる照明光がホログラム２０に照明されることが多いと予想される。このような予想が成り立つ場合には、観察方向をホログラム２０への法線方向と平行にとり、照明方向をホログラム２０への法線方向に対して４５°傾斜させればよい。なお、図５は、ホログラム２０の表面への法線方向およびホログラム２０への照明光の照明方向と平行な断面において、ホログラム２０を示している。
【００５４】
ところで、干渉縞データを記録する媒体２２の裏面（観察者側とは反対側の面）にアルミニウム蒸着層等からなる反射層が形成されることが多くある。上述したように、また、図５に示すように、本実施の形態においても、媒体２２の裏面に反射層２４が形成されている。このような場合、ホログラム２０に記録された画像を再生するための照明光の照明方向は、実際には、照明器具１２からの白色光Ｌａの進行方向対して、フィルム状の記録媒体２２を中心として、対称な方向となる。すなわち、図５に示すような状況において、ホログラム２０に対する照明光は、実際には、観察者とは反対側からホログラム２０から照明される光Ｌｃに相当する。以下の説明においては、実際の使用時に鏡面反射層（添付図においては省略）が設けられているものと仮定して、検討を行う。
【００５５】
なお、計算機合成ホログラムは、体積型ホログラム等と比較して、角度選択性が非常に弱い。すなわち、工程Ｓ２において、照明方向および観察方向（回折方向）が特定されるが、ホログラム２０に記録された画像３０を再生するために、必ずしも、定義された照明方向から計算機合成ホログラムが照明光によって照明される必要はなく、また、定義された観察方向から計算機合成ホログラムが観察者によって観察される必要はない。以下の関係式（１）を満たすことによって、再生画像３０を観察することが可能となる。
Ｎ＝｜ｓｉｎ（θ２）−ｓｉｎ（θ１）｜／λ  ・・・  式（１）
【００５６】
なお、式（１）中の角度θ１は、照明光による照明方向がホログラムの表面への法線方向に対してなす角度であり、式（１）中の角度θ２は、画像の再生方向（観察方向）が、ホログラムの表面への法線方向に対してなす角度である。図８に示すように、これらの角度θ１，θ２の値は、ホログラムの表面への法線方向と照明光による照明方向とに平行な面（図８に示す面に相当）において、ホログラムの表面への法線方向から照明方向まで反時計回りに進んだ角度によって画定される。したがって、図８に示す例において、角度θ２は３６０°（０°）となっており、ホログラムの法線方向から画像を観察することができる。また、式（１）におけるＮは、定義された空間配置に対して決定される正の定数である。
【００５７】
すなわち、図８に示すように、この工程Ｓ２で定義された照明方向からホログラム２０を照明する光Ｌｃだけでなく、定義された照明方向とは異なる方向からホログラム２０を照明する光Ｌｃ１，Ｌｃ２によっても、ホログラム２０に記録された画像３０が再生されるようになる。ただし、この場合、これらの光Ｌｃ１，Ｌｃ２による再生光Ｌｂ１，Ｌｂ２の進行方向は、この工程Ｓ２で定義された再生光Ｌｂの進行方向（すなわち、観察方向）とは異なる方向となる。すなわち、定義された観察方向とは異なる方向から、ホログラム２０によって再生される画像３０が観察される。
【００５８】
また、式（１）中のλは、照明光の波長である。したがって、照明光の照明方向が同一に維持されている場合、照明光の波長が変化すれば、照明光が回折される方向、言い換えると、再生光の進行方向が変化するようになる。すなわち、照明光の照明方向が同一であっても、照明光の波長が異なれば、画像が観察されるようになる方向が変化する。後述するように、本実施の形態によるホログラム２０は、計算機合成ホログラムのこのような特性を利用して、優れた作用効果を奏することができるように構成されている。
【００５９】
次に、図６に示すように、媒体２２の記録面上における演算点が特定される（工程Ｓ３）。演算点は、作製対象となるホログラム２０に対して要求される解像度等を考慮して定義される。次に、演算点毎に、物体光と参照光との干渉波の強度が演算され、干渉縞データが算出される（工程Ｓ４）。なお、物体光については、まず、記録されるべき画像３０の表面を、多数の点光源の集合として取り扱う。そして、各点光源から演算対象となる演算点に進む光を、当該演算点における干渉波強度の演算において考慮される物体光として取り扱う。
【００６０】
なお、各演算点について干渉波強度を演算する際に、すべての点光源から物体光が演算対象となる演算点に照射されると考える必要はない。本実施の形態では、図９に示すように、記録されるべき原画像４１，４２，４３および記録用媒体２２が、それぞれ、複数Ｍ個の単位領域に分割されている。ここで、原画像４１，４２，４３上に定義されたＭ個の単位領域Ａｂ１〜Ａｂｍと記録用媒体２２上に定義されたＭ個の単位領域Ａａ１〜Ａａｍとは、それぞれ、１対１に対応させられている。原画像４１，４２，４３の各単位領域Ａｂ１〜Ａｂｍには、物体光を発光すると想定される多数の点光源が含まれている。また、記録用媒体２２の各単位領域Ａａ１〜Ａａｍには、多数の演算点が含まれている。そして、１つの演算点について干渉波の強度を演算する際には、その演算点が所属する記録媒体２２上の単位領域Ａａ１〜Ａａｍに対応した原画像４１，４２，４３上の単位領域Ａｂ１〜Ａｂｍ内の光源のみを考慮して、演算が行われるようになっている。
【００６１】
図９は、上述した図５と同様の断面において、ホログラム２０をなすようになる記録用媒体２２を示している。すなわち、図９は、記録用媒体２２の表面への法線方向および定義された照明光の照明方向と平行な面において、記録用媒体２２（ホログラム２０）を示している。そして、本実施の形態において、記録用媒体２２（ホログラム２０）は、図９に示される断面において、一側から他側に向けてＭ個に分割され、Ｍ個の単位領域Ａａ１〜Ａａｍが形成されている。
【００６２】
したがって、図１１に示すように、記録媒体２２の単位領域Ａａ１〜Ａａｍの各々は細長状に形成されるとともに、Ｍ個の単位領域Ａａ１〜Ａａｍは並列配置されている。記録用媒体２２の各単位領域Ａａ１〜Ａａｍの長手方向は、上述の工程Ｓ２で定義された照明光の照明方向に対して直交している。記録用媒体２２の単位領域Ａａ１〜Ａａｍの幅（配列ピッチに相当）は、人間の目では視認不可能な程度（例えば、３００μｍ以下）に設定されるとともに、干渉縞がホログラムとして機能し得る程度（例えば、５μｍ以上）に設定されている。また、本実施の形態において、記録媒体２２上に定義されたＭ個の単位領域Ａａ１〜Ａａｍの幅は互いに同一となっている。
【００６３】
同様に、記録されるべき各原画像４１，４２，４３も、図９に示される断面において、一側から他側に向けてＭ個に分割されて、単位領域Ａｂ１〜Ａｂｍが形成されている。すなわち、記録されるべき各原画像４１，４２，４３の単位領域Ａｂ１〜Ａｂｍが並べられる方向は、記録媒体２２の単位領域Ａａ１〜Ａａｍｇが並べられる方向と平行になっている。そして、記録用媒体２２（ホログラム２０）の一つの単位領域Ａａ１〜Ａａｍは、記録用媒体２２の法線方向に沿って対面する位置に配置された各原画像４１，４２，４３の一つの単位領域Ａｂ１〜Ａｂｍと関連付けられている。
【００６４】
図１０は、図９のＸ−Ｘ線に沿った断面を示している。記録用媒体２２（ホログラム２０）の各単位領域Ａａ１〜Ａａｍには、その長手方向に並べて配置された多数の演算点Ｐａ１〜Ｐａｋが定義されている。上述したように、演算点Ｐａ１〜Ｐａｋの数は、作製対象となるホログラムに要求される品質等に応じて、決定され得る。例えば、各単位領域Ａａ１〜Ａａｍに、その長手方向に並べられた演算点Ｐａ１〜Ｐａｋの列が複数列定義されるようにしてもよい。
【００６５】
また、図１０には全てを図示していないものの、上述してきたように、記録されるべき各原画像４１，４２，４３の表面は、点光源の集合として構成されている。そして、記録用媒体２２（ホログラム２０）の一単位領域Ａａｎに含まれる一つの演算点Ｐａｉについて干渉波強度の演算を行う際には、一単位領域Ａａｎに対応する各原画像４１，４２，４３の単位領域Ａｂｎに属する点光源Ｐｂのうち、演算対象となる演算点Ｐａｉに入射し得る点光源Ｐｂのみを考慮する。これにより、ホログラム２０によって再生される画像３０に対して、隠面処理が施され、画像３０が立体的に表現され得るようになる。
【００６６】
なお、記録用媒体２２の各単位領域Ａａ１〜Ａａｍｇの長手方向（単位領域の配列方向と直交する方向：図９および図１１参照）が、ホログラム２０の使用時に水平方向と平行になることが好ましい。この場合、ホログラム２０が水平方向に大きな視差を有することになる。すなわち、通常の状態で水平方向に離間した二つの目を有する人間に対して、より立体的に表現された画像３０を再生することが可能となる。
【００６７】
以上のようにして干渉縞データが算出される。ただし、上述したように、ホログラム２０を量産する際には、まず、マスター版を作製することが多くある。そして、マスター版をエンボス原版として用い、マスター版とは起伏が逆になった凹凸形状を有するホログラム２０が量産される。その一方で、ここまでで説明してきた方法で算出される干渉縞データは、ホログラム２０を構成するようになる媒体２２に記録されるべき干渉縞データである。したがって、マスター版をまず形成する場合には、上述してきた方法で算出される干渉縞データに対して適宜変換処理を実施する必要がある。あるいは、マスター版をなすようになる媒体に記録されるべき干渉縞データを、上述してきた方法で算出するようにしてもよい。
【００６８】
ところで上述したように、本実施の形態において、ホログラム２０によってカラー画像３０が再生される。その一方で、干渉縞データを演算する際には、物体光および参照光をなす光の波長が特定されなければならない。そこで、本実施の形態においては、図２に示す第１の色成分の像３１を緑色で表示する原画像４１に関する干渉縞データと、図３に示す第２の色成分の像３２を赤色で表示する原画像４２に関する干渉縞データと、図４に示す第３の色成分の像３３を青色で表示する原画像４３に関する干渉縞データと、が媒体２２に記録されている。
【００６９】
この際、図１１に示すように、媒体２２の各単位領域Ａａ１〜Ａａｍは、単位領域の配列方向に沿って三分割され、第１分割領域Ａａ１ｒ〜Ａａｍｒ、第２分割領域Ａａ１ｇ〜Ａａｍ１ｇおよび第３分割領域Ａａ１ｂ〜Ａａｍ１ｂから構成されている。各分割領域は、単位領域Ａａ１〜Ａａｍの長手方向に沿って細長く延びており、その長手方向にそって上述した演算点Ｐａが並べて定義されている。各分割領域に含まれる演算点Ｐａ１〜Ｐａｋの数は、上述したように、作製対象となるホログラム２０に要求される品質等に応じて、決定され得る。そして、各分割領域に、その長手方向に並べられた演算点の列が複数列定義されるようにしてもよい。
【００７０】
そして、上述した方法にしたがって、第２分割領域Ａａ１ｇ〜Ａａｍ１ｇに属する演算点Ｐａについて、物体光および参照光の干渉波の強度を演算していくことにより、第１の色成分の像３１を緑色で表示する原画像４１に関する干渉縞データが算出される。この演算を行う際、物体光および参照光の波長は、上述した緑色光の波長帯域の波長に設定される。
【００７１】
また、上述した方法にしたがって、第１分割領域Ａａ１ｒ〜Ａａｍ１ｒに属する演算点Ｐａについて、物体光および参照光の干渉波の強度を演算していくことにより、第２の色成分の像３２を赤色で表示する原画像４２に関する干渉縞データが算出される。この演算を行う際、物体光および参照光の波長は、上述した赤色光の波長帯域の波長に設定される。
【００７２】
さらに、上述した方法にしたがって、第３分割領域Ａａ１ｂ〜Ａａｍ１ｂに属する演算点Ｐａについて、物体光および参照光の干渉波の強度を演算していくことにより、第３の色成分の像３３を青色で表示する原画像４３に関する干渉縞データが算出される。この際、物体光および参照光の波長は、上述した青色光の波長帯域の波長に設定される。
【００７３】
なお、以上の三つの原画像４１，４２，４３に関する演算において、ある分割領域に属する１つの演算点について干渉波の強度を演算する際には、その当該分割領域が属する記録媒体２２の単位領域Ａａ１〜Ａａｍに対応した画像３０上の単位領域Ａｂ１〜Ａｂｍ内の点光源Ｐｂのみを考慮して、演算が行われる。
【００７４】
また、以上の三つの原画像４１，４２，４３に関する干渉縞データの演算において、上述した干渉縞データの算出方法において特定される空間配置は、互いに同一に設定される。この結果、後述するように、一定の照明方向から白色光がホログラム２０に照射された場合に、緑色で表示される第１の色成分の像３１、赤色で表示される第２の色成分の像３２、および、青色で表示される第３の色成分の像３３が、照明方向に対応して特定される一つの方向に再生されるようになる。そして、照明方向に対応して特定される前記一つの方向において、三つの再生像を組み合わせてなるカラー画像３０が観察され得るようになる。
【００７５】
以上のような方法により作製されたホログラム２０は、複数の干渉縞データを記録されている。複数の干渉縞データは互いに異なる原画像４１，４２，４３についてのものである。すなわち、カラー画像を再生するための干渉縞データは、複数の原画像４１，４２，４３に関する干渉縞データを含んでいる。また、複数の干渉縞データはホログラム２０の記録媒体２２の表面の互いに異なる領域に形成されている。
【００７６】
次に、以上のようなホログラム２０の作用について説明する。
【００７７】
図１２に示すように、ホログラム２０の干渉縞データを算出する際に定義された照明方向からホログラム２０に対して光を照明する。ホログラム２０の照明には、通常、太陽光や室内照明器具１２から照射される白色光が用いられ得る。白色光Ｌｗは、反射層２４で反射されて、ホログラム２０に対する照明光として機能する。そして、図１２に示すように、白色光Ｌｗは、ホログラム２０の媒体２２において所定の方向に回折される。このとき回折される所定の方向は、ホログラム２０の干渉縞データを算出する際に定義された観察方向（再生光の進行方向）となる。回折された白色光Ｌｗは、再生光Ｌｂｒ，Ｌｂｇ，Ｌｂｂとして機能し、ホログラム２０に記録された画像３０を再生するようになる。すなわち、観察者は、予め定義された観察方向から再生された画像を観察することが可能となる。
【００７８】
なお、上述したホログラム２０では、図１１に示すように、媒体２２の表面が、三つのグループのいずれかに属するようになる多数の区域に分割されている。そして、三つにグループのうちの一つである第２分割領域Ａａ１ｇ〜Ａａｍｇには、緑色で表示された第１の色成分の像３１に関する干渉縞データが記録されている。したがって、予め定義された照明方向からホログラム２０に入射してホログラム２０をなす媒体２２の第２分割領域Ａａ１ｇ〜Ａａｍｇで回折された再生光は、図２に示す第１の色成分の像３１を緑色で表示する。
【００７９】
また、第１分割領域Ａａ１ｒ〜Ａａｍｒには、赤色で表示された第２の色成分の像３２に関する干渉縞データが記録されている。そして、予め定義された照明方向からホログラム２０に入射して媒体２２の第１分割領域Ａａ１ｒ〜Ａａｍｒで回折された再生光は、図３に示す第２の色成分の像３２を赤色で表示する。
【００８０】
同様に、第３分割領域Ａａ１ｂ〜Ａａｍｂには、青色で表示された第３の色成分の像３３に関する干渉縞データが記録されている。そして、予め定義された照明方向からホログラム２０に入射して媒体２２の第３分割領域Ａａ１ｂ〜Ａａｍｂで回折された再生光は、図４に示す第３の色成分の像３３を青色で表示する。
【００８１】
図１１に示すように、媒体２２の各単位領域、さらには媒体２２の各分割領域は、細長状に設計され、その幅は人間に目では認識不可能な程度にまで狭くなっている。このため、観察方向からホログラム２０を観察する観察者１０には、第１の色成分の像３１と、第２の色成分の像３２と、第３の色成分の像３３と、を単独で認識することは不可能となる。結果として、これらの異なる色成分の像３１，３２，３３の加法混色としての図１のカラー画像３０が、観察されるようになる。
【００８２】
なお、図２に示すように、第１の色成分の像３１には、特定の情報、本実施の形態では、ホログラム２０自身の真贋判定情報を表示する隠し画像３１ａが含まれている。具体的には、第１の色成分の像３１には「本物」という隠し文字が含まれている。そして、カラー画像３０を構成する第１の色成分の像３１をなす光（つまり、緑色の光）のみを選択的に透過させる部材１８を介してホログラム２０からの再生光Ｌｂを観察した場合（図１３に示す観察態様）、あるいは、カラー画像３０を構成する第１の色成分の像をなす光を選択的に透過させる部材１８を通過した照明光Ｌｃをホログラム２０で回折させてなる再生光Ｌｂを観察した場合には、観察者１０は、第１の色成分の像３１のみを単独で観察することができるようになる。ここで、カラー画像３０を構成する第１の色成分の像をなす光を選択的に透過させる部材１８としては、カラー画像３０を構成する第１の色成分の像をなす光の色と同系色を有するセロファン等を用いることができる。このようなセロファンは、安価且つ容易に入手可能である。
【００８３】
すなわちカラー画像３０を構成する第１の色成分の像をなす光のみを選択的に透過させる部材１８を光路中に介在させるといった、極めて容易に操作によって、隠し画像３１ａが含まれた第１の色成分の像３１を観察することができ、さらに、隠し画像３１に含まれた真贋判定情報を読み取ることができる。このように、ホログラム２０が本物であること、さらに、ホログラム２０が貼り付けられた物品１５、例えばカード等が本物であることを、極めて容易かつ正確に判断することが可能となる。
【００８４】
その一方で、上述したように通常の観察では、人間の目では、第１の色成分の像３１のみを分解して視認することは不可能である。そして、第１の色成分の像３１と重ね合わされる第２の色成分の像３２および第３の色成分の像３３には、それぞれ、ノイズ画像３２ａ，３３ａが含まれている。このノイズ画像３２ａ，３３ａは、第２の色成分の像３２または第３の色成分の像３３が第１の色成分の像３１と重ね合わせられた場合に、第１の色成分の像３１の隠し画像３１ａによって表示される真贋判定情報の読み取りを困難とするように構成されている。すなわち、第１の色成分３１の隠し画像３１ａは、第２の色成分の像３２のノイズ画像３２ａによって、または、第３の色成分の像３３のノイズ画像３３ａによって、または、第２の色成分の像３２のノイズ画像３２ａおよび第３の色成分の像３３のノイズ画像３３ａの両方によって、通常の観察時には、読み取り困難となっている。
【００８５】
すなわち、ホログラム２０は、通常の観察態様では観察されない隠し画像３１ａを含んでいる。このように隠し画像３１ａの秘匿性（秘密性）が高いことから、このホログラム２０を偽造することは困難である。
【００８６】
とりわけ、本実施の形態においては、ホログラム２０によって再生される画像３０は、ある意味を有した画像（有意味画像）として構成されている。具体的には、画像３０は、球体３６と、球体３６の周囲を延びる二つにリング３８と、を有している。そして、リング３８は、「ＧＥＮＵＩＮＥ」との文字列が並べられることによって構成されている。したがって、このホログラム２０を手にした者は、このホログラム２０が、単に「ＧＥＮＵＩＮＥ」との文字列によって真正性を表示するための表示体であると、認識するだろう。また、球体３６については、「ＧＥＮＵＩＮＥ」との文字列との組み合わせによって、再生される画像をより立体的に表現するため、さらには、再生される画像の意匠性を向上させるための幾何学的形状であると、認識するだろう。
【００８７】
このように、ホログラム２０によって再生される画像３０が何らかの意味を有した画像である場合には、再生される画像３０に隠し画像３１ａがさらに含まれていることを想到すること自体が困難となる。したがって、さらに進んで、隠し画像３１ａがカラー画像３０を構成する一つの色成分の分解像３１によって形成されているといった、カラー画像３１ａを潜在化させる方法にまで想到することは、極めて困難となる。このように秘匿性の高い隠し画像３１ａがホログラム２０に記録されていることから、このホログラム２０は非常に偽造されにくくなる。したがって、このホログラム２０によれば、真正性の判断を正確に実施することができる。
【００８８】
加えて、本実施の形態によるホログラム２０は、三原色で表示された原画像、すなわち、緑色で表示された原画像４１、赤色で表示された原画像４２および青色で表示された原画像４３のそれぞれに関する干渉縞データを、記録されている。そして、この三つの原色で表示される原画像４１，４２，４３の加法混色によって、フルカラー画像３０が再生されるようになる。すなわち、ホログラム２０によって、所望の色で表示されるフルカラー画像を正確に再現することができる。さらに、本実施の形態によるホログラム２０によれば、水平方向における顕著な視差を確保することができるようになる。すなわち、観察者が水平方向に沿って観察方向を変化させていくと、観察方向の変化に応じて、ホログラム２０によって再生される画像３０は大きく変化していく。これにより、ホログラム２０によって、所望の立体的な形状を正確に再現することができる。このように所望される画像を極めて正確に再現し得るホログラム２０によれば、優れた意匠性を確保することができる。そして、そもそも、このような精巧なホログラム２０は偽造され難いといった利点も享受することができる。
【００８９】
なお、以上の説明においては、所定の照明方向からホログラム２０に白色光が照明され、さらに、所定の観察方向からホログラム２０を観察することを前提として、ホログラム２０の作用を説明してきた。しかしながら、図８を用いて説明したように、干渉縞データの演算時に定義された所定の照明方向とは異なる方向からホログラム２０が白色光によって照明された場合であっても、ホログラム２０によって再生される画像３０を観察することができる。また、干渉縞データの演算時に定義された所定の観察方向とは異なる方向からホログラム２０を観察した場合であっても、ホログラム２０によって再生される画像３０を観察することができる。具体的には、上述した式（１）を満たすように、ホログラム２０を照明する照明光が、照明光による照明方向に関連して特定される所定の方向に回折される。
【００９０】
このように、唯一の条件下でのみ第１〜第３の色成分の像３１，３２，３３の重ね合わせとしてのカラー画像３０が観察されるわけではなく、ホログラム２０の向き（結果として、照明光による照明方向）や観察方向を適当に変化させてやることにより、第１〜第３の色成分の像３１，３２，３３の重ね合わせてとしてのカラー画像３０が、観察されるようになる。また、第１〜第３の色成分の像３１，３２，３３の重ね合わせてとしてのカラー画像３０が観察される条件で、カラー画像３０を構成する第１の色成分の像３１をなす光（つまり、緑色の光）のみを選択的に透過させる上述の部材１８を用いることにより、第１の色成分の像３１に含まれた隠し画像３１ａから真贋判定情報を読み取ることが可能となる。すなわち、本実施の形態によるホログラム２０は角度選択性が弱く、種々の条件下において、ホログラム２０の真正性およびホログラム２０を貼付された物品１５の真正性を、上述したようにして正確かつ容易に判断することができる。
【００９１】
ところで、上述した式（１）が満たされるということは、第１の色成分の像３１に対応する干渉縞データ（厳密には、第１の色成分の像３１に対応する第１の原画像４１に関する干渉縞データであって、緑色の物体光および参照光を考慮して算出された干渉縞データ）が記録された媒体２２中の第２の分割領域Ａａ１ｇ〜Ａａｍｇにおいて、カラー画像３０を構成する第１の色成分の像３１をなす光（本実施の形態では、緑色の光）とは異なる波長λを有した光、例えば、カラー画像３０を構成する第２および第３の色成分の像３２，３３をなす光（本実施の形態では、赤色の光および青色の光）も回折され得ることを意味する。そして、カラー画像３０を構成する第２の色成分の像３２をなす光が第２の分割領域Ａａ１ｇ〜Ａａｍｇにおいて回折されると、当該回折光は、真贋判定情報を表示する隠し画像３１ａが含まれた像、つまり、第１の色成分の像３１を、カラー画像３０を構成する第２の色成分の像３２をなす光の色（本実施の形態では、赤色）で再生するようになる。同様に、カラー画像３０を構成する第３の色成分の像３３をなす光が第２の分割領域Ａａ１ｇ〜Ａａｍｇにおいて回折されると、当該回折光は、真贋判定情報を表示する隠し画像３１ａが含まれた像、つまり、第１の色成分の像３１を、カラー画像３０を構成する第３の色成分の像３３をなす光の色（本実施の形態では、青色）で再生するようになる。
【００９２】
ただしこの際、あくまでも上述した式（１）を満たすことが条件となる。したがって、各波長帯域の光がホログラム２０を照明する方向が互いに同一である場合、例えば、照明器具や太陽からの白色光が照明光に用いられ、種々の波長帯域の光が互いに同一の方向でホログラム２０を照明する場合には、第２の分割領域Ａａ１ｇ〜Ａａｍｇに記録された像は、異なる色で異なる方向に再生されるようになる。
【００９３】
なお、白色光が照明光として用いられた際に、異なる色の光によって、同一の画像が異なる方向に再生される現象は、いわゆる色分散と呼ばれる現象であり、第２の分割領域Ａａ１ｇ〜Ａａｍｇに入射する光に限られず、第１の分割領域Ａａ１ｒ〜Ａａｍｒおよび第３の分割領域Ａａ１ｂ〜Ａａｍｂに入射する光に対しても同様に生じる。
【００９４】
そして、本実施の形態によるホログラム２０によれば、以下に説明するように、色分散に影響されることなく、隠し画像３１ａの高い秘匿性を獲得することが可能となっている。
【００９５】
以下においては、一例として、室内照明器具からの光または太陽光がホログラム２０に入射する状況を考える。この状況下では、ホログラム２０に対して種々の色の光（異なる波長を有した種々の光）を含む白色光が、一定の照明角度で、ホログラム２０に照射されることになる。
【００９６】
図１４〜図１８には、上述してきた本実施の形態によるホログラム２０に同一の入射角度で入射した赤色の光、緑色の光および青色の光が、それぞれ、回折されるようになる方向が図示されている。図１４では、ホログラム２０の記録用媒体２２の単位領域Ａａのうちの第１の分割領域Ａａｒに入射した光の回折方向が示されている。同様に、図１５には、第２の分割領域Ａａｇに入射した光の回折方向が示され、図１６には、第３の分割領域Ａａｂに入射した光の回折方向が示されている。一方、図１７および図１８では、単位領域Ａａをなす三つの分割領域Ａａｒ、Ａａｇ，Ａａｂに入射した光の回折方向が示されている。
【００９７】
なお、図１４〜図１８は、ホログラム２０の表面への法線方向および照明光の照明方向との両方に平行な断面において、ホログラム２０を示している。また、図１４〜図１８では、赤色の光が短い点線で示され、緑色の光が実線で示され、青色の光が長い点線で示されている。さらに、図１４〜図１８では、第１の色成分の像３１を再生する回折光を直線で示し、第２の色成分の像３２を再生する回折光を波線で示し、第３の色成分の像３３を再生する回折光を折れ線で示している。
【００９８】
上述したように、本実施の形態によるホログラム２０においては、第２の分割領域Ａａｇには、緑色の参照光と、ホログラム２０の法線方向に進む緑色の物体光と、の干渉波の強度を演算することにより得られた干渉縞データであって、図２に示す第２の色成分の画像３１を再生するための干渉縞データが、記録されている。同様に、第１の分割領域Ａａｒには、赤色の参照光と、ホログラム２０の法線方向に進む赤色の物体光と、の干渉波の強度を演算することにより得られた干渉縞データであって、図３に示す第２の色成分の画像３２を再生するための干渉縞データが、記録されている。さらに、第３の分割領域Ａａｂには、青色の参照光と、ホログラム２０の法線方向に進む青色の物体光と、の干渉波の強度を演算することにより得られた干渉縞データであって、図４に示す第３の色成分の画像３３を再生するための干渉縞データが、記録されている。
【００９９】
したがって、照明光の入射角度が参照光の入射角度と一致した場合、図１５に示すように、ホログラム２０の第２の分割領域Ａａｇに入射した白色光のうち、緑色成分の回折光（再生光）Ｌｂｇｇは、ホログラム２０の法線方向に、図２に示す緑色成分の像３１を再生する。同一の条件下において、図１４に示すように、ホログラム２０の第１の分割領域Ａａｒに入射した白色光のうち、赤色成分の回折光（再生光）Ｌｂｒｒは、ホログラム２０の法線方向に、図３に示す赤色成分の像３２を再生する。さらに、同一の条件下において、図１６に示すように、ホログラム２０の第３の分割領域Ａａｂに入射した白色光のうち、青色成分の回折光（再生光）Ｌｂｂｂは、ホログラム２０の法線方向に、図４に示す青色成分の像３３を再生する。
【０１００】
この結果として、図１７に示すように、緑色で表示される図２の第１の色成分の像３１と、赤色で表示される図３の第２の色成分の像３２と、青色で表示される図４の第３の色成分の像３３と、がホログラム２０の法線方向に再生される。したがって、ホログラム２０の正面方向（図１７における観察方向ｄ１）から、図１に示すカラー画像３０が、緑色、赤色および青色によってそれぞれ表現された図２〜図４の分解像３１，３２，３３の重ね合わせとして、観察され得るようになる。
【０１０１】
その一方で、図１５に示すように、ホログラム２０の第２の分割領域Ａａｇに入射した白色光のうち、赤色成分の回折光（再生光）Ｌｂｇｒは、ホログラム２０の法線方向よりも上方に傾斜した方向に進んでいく。そして、この赤色回折光Ｌｂｇｒは、その進行方向に、赤色成分で表現された図２の像３１を再生するようになる。同様に、図１６に示すように、ホログラム２０の第２の分割領域Ａａ１に入射した白色光のうち、青色成分の回折光（再生光）Ｌｂｇｂは、ホログラム２０の法線方向よりも下方に傾斜した方向に進んでいく。そして、この青色回折光Ｌｂｇｂは、その進行方向に、青色成分で表現された図２の像３１を再生するようになる。すなわち、隠し画像３１ａを含んだ図２の像３１は、緑色成分で表現される方向（ホログラム２０の法線方向）を中心として或る程度の角度で上下に傾斜した範囲ｒ１（図１７参照）に再生されるようになる。
【０１０２】
このような色分散は、上記式（１）を満たすように各波長の光が回折されることにより生じる。そして、緑色成分の光の波長は、赤色成分の光の波長よりも短く、青色成分の光の波長よりも長い。この結果として、緑色成分の回折光の進行方向は、可視光のうちの最長波長を有する赤色成分の回折光の進行方向と、可視光のうちの最短波長を有する青色成分の回折光の進行方向と、の間に位置するようになる。そして、像が緑色に再生される再生方向に対して上下に或る程度の傾斜角度で傾斜した範囲ｒ１内において同一の像３１が緑色以外の色で再生されるようになる。
【０１０３】
同様の現象が、ホログラム２０の第１の分割領域Ａａｒで回折された回折光Ｌｂｒｒ，Ｌｂｒｇ，Ｌｂｒｂ（図１４および図１７参照）、および、ホログラム２０の第３の分割領域Ａａ１ｂ〜Ａａｍｂで回折された回折光Ｌｂｂｒ，Ｌｂｂｇ，Ｌｂｂｂ（図１６および図１７参照）にも生じる。
【０１０４】
具体的には、図１４に示すように、ホログラム２０の第１の分割領域Ａａｒに入射した白色光のうち、緑色成分の回折光（再生光）Ｌｂｒｇは、ホログラム２０の法線方向よりも下方に傾斜した方向に進む。また、ホログラム２０の第１の分割領域Ａａｒに入射した白色光のうち、青色成分の回折光（再生光）Ｌｂｒｂは、緑色成分の回折光（再生光）Ｌｂｒｇの進行方向よりもさらに下方に傾斜して進む。すなわち、ホログラム２０の法線方向から、この法線方向に対して大きな角度で下方に傾斜した方向まで、の範囲ｒ２（図１７参照）において、図３の像３２が種々の色で再生されるようになる。
【０１０５】
同様に、図１６に示すように、ホログラム２０の第３の分割領域Ａａｂに入射した白色光のうち、緑色成分の回折光（再生光）Ｌｂｂｇは、ホログラム２０の法線方向よりも上方に傾斜して方向に進む。また、ホログラム２０の第３の分割領域Ａａｂに入射した白色光のうち、青色成分の回折光（再生光）Ｌｂｂｂは、緑色成分の回折光（再生光）Ｌｂｂｇの進行方向よりもさらに上方に傾斜して進む。すなわち、ホログラム２０の法線方向から、この法線方向に対して大きな角度で上方に傾斜した方向まで、の範囲ｒ３（図３参照）において、図４の像３３が種々の色で再生されるようになる。
【０１０６】
本実施の形態では、第１〜第３の色成分の像３１，３２，３３に対応する三つの原画像４１，４２，４３に関する干渉縞データが記録されている。これらの干渉縞データを算出する際に、空間配置を同一に定義するとともに、各原画像の色を互いに異なる色に設定した。この結果、第１〜第３の色成分の像３１，３２，３３は、これらの干渉縞データによって同一の位置に異なる色で再生され、これにより、図１に示すカラー画像３０が観察されるようになっている。
【０１０７】
そして、隠し画像３１ａを含む第１の色成分の像３１を再生するための干渉縞データは、緑色の物体光および緑色の参照光の干渉波の強度を演算して算出されている。一方、ノイズ画像３２ａを含む第２の色成分の像３２を再生するための干渉縞データは、赤色の物体光および赤色の参照光の干渉波の強度を演算して算出され、ノイズ画像３３ａを含む第３の色成分の像３３を再生するための干渉縞データは、青色の物体光および青色の参照光の干渉波の強度を演算して算出されている。すなわち、第１の色成分の像３１に関する干渉縞データを算出するために用いられた光の波長帯域のピーク波長は、第２の色成分の像３２に関する干渉縞データを算出するために用いられた光の波長帯域のピーク波長よりも短く、第３の色成分の像３３に関する干渉縞データを算出するために用いられた光の波長帯域のピーク波長よりも長い。
【０１０８】
この結果、図１７に示すように、第１の色成分の像３１が白色光を用いて再生されるようになる方向の範囲ｒ１は、第２の色成分の像３２が白色光を用いて再生されるようになる方向の範囲ｒ２、および、第３の色成分の像３３が白色光を用いて再生されるようになる方向の範囲ｒ３の少なくとも一方と重なっている。すなわち、隠し画像３１ａを含んだ第１の色成分の像３１が、単独で観察されるようになる観察方向はない。隠し画像３１ａを含んだ第１の色成分の像３１は、常に、ノイズ画像３２ａを含んだ第２の色成分の像３２およびノイズ画像３３ａを含んだ第３の色成分の像３３の少なくとも一方と重ねられた状態で観察されるようになる。
【０１０９】
具体的には、ホログラム２０の法線方向から観察した場合には、上述したように、三つの色成分の像３１，３２，３３を重ね合わせた画像、すなわち、図１に示すフルカラー画像３０が観察される。
【０１１０】
また、一例として、ホログラム２０を斜め下方に見下ろす方向（図１７における観察方向ｄ２）からホログラム２０を観察した場合には、赤色で表示される第１の色成分の像３１と、緑色で表示される第３の色成分の像３３と、を重ね合わせた画像が観察される。この際、赤色で表示された第１の色成分の像３１の隠し画像３１ａは、緑色で表示された第３の色成分の像３３のノイズ画像３３ａと重ね合わされ、隠し画像３１ａによって表示される真贋判定情報（「本物」という文字）を読み取ることはできない。
【０１１１】
同様に、ホログラム２０を斜め上方に見上げる方向（図１７における観察方向ｄ３）からホログラム２０を観察した場合には、青色で表示される第１の色成分の像３１と、緑色で表示される第２の色成分の像３２と、を重ね合わせた画像が観察される。この際、青色で表示された第１の色成分の像３１の隠し画像３１ａは、緑色で表示された第２の色成分の像３２のノイズ画像３２ａと重ね合わされ、隠し画像３１ａによって表示される真贋判定情報（「本物」という文字）を読み取ることはできない。
【０１１２】
その一方で、図１７に示すように、青色で表示された第２の色成分の像３２は、大きく下方に傾斜した方向（図１７における観察方向ｄ５）から、単独で観察され得る。また、赤色で表示された第３の色成分の像３３も、大きく上方に傾斜した方向（図１７における観察方向ｄ４）から、単独で観察され得る。
【０１１３】
本実施の形態では、単独でも観察され得る、第２および第３の色成分の像３２，３３のノイズ画像３２ａ，３３ａが、第１〜第３の色成分の像３２，３３の間で共通する像（本実施の形態では、球体３６）上のランダム階調パターン（ランダム濃淡パターン）である。したがって、本実施の形態によれば、ホログラム２０の再生像３０，３１，３２，３３が観察され得る全ての範囲ｒ１，ｒ２，ｒ３において、共通する立体像３６，３８と、像３６の表面上に形成されたランダムパターンと、が観察されるようになる。すなわち、通常の注意力で観察すれば、照明光の照明方向や観察方向を変化させたとしても再生像の色合いが変化しているに過ぎない、としか認識できないだろう。そして、このような色合いの変化はレインボウホログラムに見られる典型的な現象であることから、隠し画像３１ａの秘匿性は極めて高いといえる。
【０１１４】
なお、図１８に示すように、再生光または照明光が、緑色成分の光のみを選択的に透過させる部材１８を透過するようにした場合、ホログラム２０を斜め下方に見下ろす方向（図１７および図１８における観察方向ｄ２）からは、第３の色成分の像３３のみが観察される。また、再生光または照明光が緑色成分の光のみを選択的に透過させる部材１８を透過するようにした場合、ホログラム２０を斜め上方に見上げる方向（図１７および図１８における観察方向ｄ３）からは、第２の色成分の像３２のみが観察される。
【０１１５】
さらに、既に説明したように、カラー画像３０を構成する第１の色成分の像３１をなす光（本実施の形態では、緑色の光）のみを選択的に透過させる部材１８を用いることによって、隠し画像３１ａを含む第１の色成分の像３１を顕在化させる場合、照明光の照明方向に応じて特定される一つの方向から隠し画像３１ａを観察することができる。その一方で、例えば、カラー画像３０を構成する第２の色成分の像３２をなす光（本実施の形態では、赤色の光）のみを選択的に透過させることができる部材を用いることによっても、第１の色成分の像３１を顕在化させることができる。図１７から理解することができるように、ホログラム２０を斜め下方に見下ろす方向（図１７における観察方向ｄ２）から、赤色で表示される第１の色成分の像３１が観察され、これにより、隠し画像３１ａの真贋判定情報を読み取ることができる。同様に、カラー画像３０を構成する第３の色成分の像３３をなす光（本実施の形態では、青色の光）のみを選択的に透過させる部材を用いることによっても、第１の色成分の像３１を顕在化させることができる。ホログラム２０を斜め上方に見上げる方向（図１７における観察方向ｄ３）から、青色で表示される第１の色成分の像３１が観察され、これにより、隠し画像３１ａの真贋判定情報を読み取ることができる。すなわち、特定の色成分の光のみを選択的に透過させる部材（バンドパスフィルタ）を用いることにより、限られた方向のみから、隠し画像３１ａを観察することが可能となる。
【０１１６】
以上のような実施の形態のホログラム２０によれば、照明光を受けることによって、照明光の照明方向に応じた特定の方向にカラー画像３０が再生されるようになる。そして、照明光によって特定の方向に再生されるカラー画像３０は、互いに異なる色成分で表示される像３１，３２，３３を含んでいる。このうち、一つの色成分の像３１は、特定の情報を表示する隠し画像３１ａを含み、他の色成分の像３２，３３は、隠し画像３３が再生される領域（本実施の形態では、球体３６の表面の領域）を含む領域に再生されるノイズ画像３２ａ，３３ａを含んでいる。このノイズ画像３２ａ，３３ａによって、通常の照明光、すなわち、室内照明器具からの光や太陽光等からなる白色光を用いて再生されるカラー画像３０を観察する場合、特定の色成分の隠し画像３１ａに含まれる特定の情報（本実施の形態では、真贋判定情報）を読み取ることができない。その一方で、隠し画像３１ａをなす色成分の光のみを選択的に透過させるフィルタ１８、例えば、安価且つ容易に入手可能な色セロファンを通してホログラムを観察した場合には、隠し画像３１ａを表示する色成分以外の色成分はフィルタ１８に吸収され、隠し画像３１ａを表示する色成分の像のみが観察されるようになる。すなわち、隠し画像３１ａをなす色成分の光のみを選択的に透過させるフィルタ１８を用いるといった簡易な方法法により、隠し画像３１ａの情報を明確に読み取ることが可能となる。このように、本実施の形態によるホログラム２０によれば、隠し画像３１ａの存在を予め知っていれば、安価且つ容易な方法によって隠し画像３１ａの情報を明確に読み取ることができるとともに、隠し画像３１ａの存在を予め知らなければ、隠し画像３１ａの存在に気付くこと自体が難しくなる。これにより、意図せず隠し画像３１ａの情報が読み取られる可能性を極めて低くすることができる。
【０１１７】
したがって、このようなホログラム２０は、真正性を表示する表示体として極めて有効に機能することができる。この用途において、隠し画像３１ａは、ホログラム２０の真正性、および、これにともなってホログラム２０を貼り付けられた物品１５の真正性を示す情報、すなわち、真贋判定情報を、特定の情報として表示する。上述したように、真贋判定情報の存在が気付かれ難いことから、真正性表示体としてのホログラム２０の偽造防止効果は極めて高いものとなる。その一方で、真正性表示体としてのホログラム２０の真贋の判定を、極めて容易かつ正確に行うことができる。
【０１１８】
また、本実施の形態によれば、ホログラム２０の再生画像３０が、三種類の色成分を用いてカラーで表示されている。とりわけ、赤色、緑色および青色の三原色によって、ホログラム２０の再生像３０をフルカラーで表現することができる。これにより、ホログラム２０の再生画像に優れた意匠性を付与することができる。
【０１１９】
さらに、本実施の形態によれば、隠し画像３１ａを有するとともにカラー画像を構成する第１の色成分の像３１を再生する光のピーク波長は、カラー画像を構成する他の二つの色成分の画像のうちの一方の画像を再生する光のピーク波長よりも短く、他の二つの色成分の画像のうちの他方の画像を再生する光のピーク波長よりも長い。具体的には、隠し画像３１ａを有する第１の色成分の像３１は、カラー画像３０を構成する際に、緑色によって表示され、他の二つの色成分の像３２，３３は、カラー画像３０を構成する際に、赤色および青色によって表示される。干渉縞データが照明光を特定の方向に回折させる凹凸形状として記録された計算機合成ホログラムにおいては、波長に依存して、回折方向が変化する。具体的には、長波長の光の方が、回折により、大きく進行方向を変化させるようになる。したがって、このようなホログラム２０においては、白色光が照明光となる場合、いわゆる色分散が生じ、緑色光の回折方向は、赤色光の回折方向と青色光の回折方向との間に位置するようになる。すなわち、青色の再生像が観察される方向と、赤色の再生像が観察される方向と、の間に、緑色の再生像が観察される方向が存在するようになる。このため、照明光の入射方向が予定した方向からずれる、あるいは、再生光を観察する方向が予定した方向からずれる等して、三つの像３１，３２，３３の重ね合わせとしてのカラー画像３０が観察される方向以外の方向から、ホログラム２０が観察される場合であっても、隠し画像３１ａを含む像３１が、他の色成分の像３２，３３と重ね合わせられることなく単独で観察されてしまうことはない。つまり、予期せず、隠し画像３１ａに含まれる特定の情報が読み取られてしまうことを効果的に防止することができる。
【０１２０】
さらに、本実施の形態においては、ホログラム２０によって再生されるカラー画像３０は、何らかの意味を有する像（有意味画像、本実施の形態では、球体３６および文字列からなるリング３８）を含んでおり、カラー画像３０において、隠し画像３１ａおよびノイズ画像３２ａ，３３ａが形成されている領域（球体３６の表面）には、ランダム着色パターンで着色が施されている。このような本実施の形態によれば、有意味像によって隠し画像３１ａが入っていることが気付かれにくくなるため、偽造防止機能がさらに向上する。その一方で、隠し画像３１ａおよびノイズ画像３２ａ，３３ａが形成されている領域がランダム着色パターンで着色を施されているので、ノイズ画像３２ａ，３３ａの設計が極めて容易となる。この結果、ホログラム２０の製造コストを低減することができる。
【０１２１】
以上、本発明を図示する一実施の形態に基づいて説明してきたが、本発明は以上の実施の形態に限定されるものではなく、この他にも種々の態様で本発明を実施することが可能である。
【０１２２】
例えば、上述した実施の形態においては、隠し画像３１ａを含む第１の色成分の像３１が、ノイズ画像３２ａ，３３ａをそれぞれ含む第２および第３の色成分の像３２，３３と共通する像（具体的には、球体３６および文字列からなるリング３８）を含む例を示したが、これに限られない。例えば、特許文献２に開示された表示体と同様に、隠し画像を観察する際に通常画像が視認されないようにすること、すなわち、観察条件の変更により、隠し画像および通常画像のいずれか一方のみが観察され得るようにしてもよい。
【０１２３】
また、上述した実施の形態においては、第１の色成分の像３１のみが隠し画像３１ａを有するようにした例を示したが、これに限られない。例えば、第１の色成分の像３１が隠し画像３１ａを有することに代えて、または、第１の色成分の像３１が隠し画像３１ａを有することに加えて、第２の色成分の像３２が隠し画像を有するようにしてもよい。この例において、第１の色成分の像３１に含まれる隠し画像の読み取りを困難とするノイズ画像が、第２および第３の色成分の像３２，３３に含まれ、さらに、第２の色成分の像３２に含まれる隠し画像の読み取りを困難とするノイズ画像が、第１および第３の色成分の像３１，３３に含まれるようにしてもよい。さらに、この例において、第１の色成分の像３１に含まれる隠し画像と、第２の色成分の像３２に含まれる隠し画像と、によって一つの情報が読み取り可能となるように表示されるようにしてもよい。一例として、第１の色成分の像３１に含まれる隠し画像が「本物」という文字列のうちの「本」だけを表示し、第２の色成分の像３２に含まれる隠し画像が「本物」という文字列のうちの「物」だけを表示するようにしてもよい。
【０１２４】
さらに、上述した実施の形態においては、三原色で表示される像３１，３２，３３によって、隠し画像３１ａが含まれたカラー画像３０が構成される例を示したが、これに限られない。多数の波長帯域の光によって表示される多数の像から、カラー画像が構成されるようにしてもよい。逆に、二色の像のみからカラー画像が構成されるようにしてもよい。
【０１２５】
さらに、上述したように、隠し画像を含んだホログラムは計算機合成ホログラムとして形成される必要はなく、種々の型式のホログラムとして作製され得る。なお、隠し画像を含んだホログラムが、レインボウホログラムのように、色分解現象を呈するようなるホログラムであれば、上述したように、再生されるカラー画像が三つ以上の色成分の像を含むように構成されるとともに、最短波長の光によって表示される像および最長波長によって表示される像以外の像に、隠し画像が含まれていることが好ましい。
【符号の説明】
【０１２６】
１０  観察者
１２  照明器具
１５  物品
１８  部材（フィルタ）
２０  ホログラム
２２  媒体（記録用媒体）
２４  反射層
３０  カラー画像
３１  第１の色成分の像
３１ａ  隠し画像
３２  第２の色成分の像
３２ａ  ノイズ画像
３３  第３の色成分の像
３３ａ  ノイズ画像
３６  球体
３８  リング
４１  原画像
４２  原画像
４３  原画像
４６  球体
４８  リング
【図５】
0005407603.tif 000002
【図６】
0005407603.tif 000003
【図８】
0005407603.tif 000004
【図９】
0005407603.tif 000005
【図１０】
0005407603.tif 000006
【図１１】
0005407603.tif 000007
【図１２】
0005407603.tif 000008
【図１３】
0005407603.tif 000009
【図１４】
0005407603.tif 000010
【図１５】
0005407603.tif 000011
【図１６】
0005407603.tif 000012
【図１７】
0005407603.tif 000013
【図１８】
0005407603.tif 000014
【図１】
0005407603.tif 000015
【図２】
0005407603.tif 000016
【図３】
0005407603.tif 000017
【図４】
0005407603.tif 000018
【図７】
0005407603.tif 000019